(57)【要約】【課題】カメラの無いセキュリティシステムであっても、また、カメラが追随できず、侵入者の映像が取得できない状況でも、侵入者の移動範囲を予測し、その範囲を表示することができる監視システムに適用する監視装置を提供する。【解決手段】侵入物を検出するセンサと、該センサが検出した物体の位置と移動予測範囲を算出する制御部と、該制御部が算出した移動予測範囲を地図情報と共に表示する表示部とを備えた監視装置。【選択図】図７
2009272935.tif 000002
【特許請求の範囲】
【請求項１】
侵入物を検出するセンサと、該センサが検出した物体の位置と移動予測範囲を算出する制御部と、該制御部が算出した移動予測範囲を地図情報と共に表示する表示部とを備えたことを特徴とする監視装置。
【発明の詳細な説明】
【技術分野】
【０００１】
本発明は、監視システムに関わり、エリア内に移動体が検出された場合の監視装置に関わる。
【背景技術】
【０００２】
以下、添付図面を参照しながら従来例の説明を行う。なお、各図において、共通な機能を有する構成要素には同一の参照番号を付し、説明の重複を避け、できるだけ説明を省略する。
【０００３】
図１と図２によって、従来の監視システムの一例を説明する。図１は、従来の監視装置の構成を示すブロック図である。１１はセンサ、１２は制御部、１３は表示部である。また、図２は、図１の監視装置で監視する場合の監視エリアについて説明するための図である。２００は監視エリア、２５１と２５２は監視エリア２００の海水域、２１１は監視エリア２００の例えば波止場等の陸地、２４１、２４２、及び２４３は陸地２１１上の建造物、２２１、２２２、２２３、及び２２４は陸地２１１上に設けられたセンサ１１の監視領域である。
センサ１１は図２上の監視領域２２１、２２２、２２３、及び２２４が全て監視できるように複数設けられ、そのセンサの検出情報が制御部１２に出力される。制御部１２は、複数のセンサ１１からのセンサ検出情報を解析し、例えば、表示部１３の表示画面に、監視エリア２００の全体図と共に検出された位置や時間等を表示する。監視員は表示部１３を見て監視を行う。
図１、図２において、センサ１１は、例えば、赤外線センサやパッシブセンサ等の侵入者を検出するセンサであり、設置の場所や状況によって種々のセンサを使用する。
なお、制御部１２と表示部１３は、この監視エリア２００内のどこかに設けられている場合と、遠隔地に設置され遠隔地から監視する場合、及びそれらが両方成されている場合等がある。
【０００４】
また、図３と図４によって、従来の監視システムの他の一例を説明する。図３は、従来の監視装置の構成を示すブロック図である。３１は所定の場所に設置され、パン、チルト、ズーム、フォーカス調整が可能なカメラ、３２は制御部である。図３は図１の構成に対して、カメラ３１を加え、制御部１２をカメラ３１の制御も可能な制御部３２に替えた構成とした監視装置である。また、図４は、図３の監視装置で監視する場合の表示部１３に表示する表示画面について説明するための図である。なお、監視エリアは図２と同様で、監視領域２２１、２２２、２２３、及び２２４を監視するためのカメラが複数設置されている（図示しない）。また、４００は表示部１３の表示画面、４１０はカメラ３１の映像を表示する表示部、４２０、４３０、及び４４０は操作パネルで、その他、表示画面４００中の表示図形は、図示しない入力装置（例えば、マウス等のポインティングデバイスやキーボード、等）をユーザがＧＵＩ（ Graphical User Interface ）操作することによって操作されるものである。また、４２１は、図２の監視エリア２００全体を表示する画面で、例えばセンサ１１が侵入者を検出した場合に、検出箇所を表示したりすることができる。
図２〜図４において、制御部３２は、通常、表示部１３に選択されたカメラ映像を表示している。しかし、センサ１１が侵入者を検出した場合には、制御部３２は、表示部１３へ地図等で検出位置を表示すると共に、センサ１１に連動させて対応するカメラ３１をパン、チルト、ズーム、フォーカス調整して、取得された映像を、表示部１３の表示画面４００上の表示部４１０に表示する。
【０００５】
【特許文献１】特開２００５−１２９００３号公報
【発明の開示】
【発明が解決しようとする課題】
【０００６】
上述のように、従来例の１つでは、センサに連動させた監視システムがあり、侵入者の監視を行っていた。そして、次に述べた従来例のように、カメラ映像を加えることで、センサに連動させてカメラを稼動させて侵入者を捉えることで、更に監視システムとして有利であることが分かってきた（例えば、特許文献１参照。）。
しかし、上述のカメラは、監視エリア全体を希望通りカバーできるほど十分な台数設置されていることは少なく、例えば侵入者の移動の方向や速度等によっては、カメラが追随できないことがあった。また、最初に説明した従来例のように、カメラが設置されていない監視システムも多い。
本発明は、上述のような問題に鑑み、カメラの無いセキュリティシステムであっても、また、カメラが追随できず、侵入者の映像が取得できない状況でも、侵入者の移動範囲を予測し、その範囲を表示することができる監視システムに適用する監視装置を提供することを目的とする。
【課題を解決するための手段】
【０００７】
上記の目的を達成するために、本発明の監視装置は、侵入者の検出位置、移動速度、及び移動方向をもとに、侵入後の移動範囲を予測するようにしたものである。
また、好ましくは、上記発明の監視システムにおいて、移動範囲を表示するようにしたものである。
即ち、本発明の監視装置は、侵入物を検出するセンサと、該センサが検出した物体の位置と移動予測範囲を算出する制御部と、該制御部が算出した移動予測範囲を地図情報と共に表示する表示部とを備えたものである。
【発明の効果】
【０００８】
本発明によれば、監視システムの監視装置において、侵入者がカメラ撮影範囲から外れた状況でも、侵入者の移動範囲を予測し、その範囲を表示することにより、現場警備員の警備支援向上による侵入者の早期発見が可能となる。
また、侵入者センサで侵入者を検出した時、侵入後の移動範囲を予測し、警備支援が向上することによる侵入者の早期発見が可能となる。
【発明を実施するための最良の形態】
【０００９】
上記課題を解決するために、制御部に侵入後の移動範囲予測機能を付加する。
また、表示部に移動範囲予測表示機能を付加する。
以下、添付図面を参照しながら本発明の実施形態を詳細に説明する。なお、従来例で説明した図面を含めた各図において、共通な機能を有する構成要素には同一の参照番号を付し、説明の重複を避け、できるだけ説明を省略する。
【００１０】
図５〜図７によって、本発明の監視システムの一実施形態を説明する。図５は、本発明の監視装置の一実施例の構成を示すブロック図である。５２は制御部である。図５は、従来の監視装置の構成（図３）に対して、制御部３２を制御部５２としたものである。
また、図６は、図５の監視装置で監視する場合の監視エリアの一実施例について説明するための図である。６１は侵入者を検出したポイント、６２３は侵入者を発見した時刻から３０［ｓ］以内に検出された侵入者が移動すると予測されるエリア（移動予測範囲）、６２６は侵入者を発見した時刻から６０［ｓ］以内に検出された侵入者が移動すると予測されるエリア（移動予測範囲）である。
また、図７は、図５の監視装置で監視する場合の表示部１３に表示する表示画面の一実施例について説明するための図である。７００は表示画面、７２１は画面である。画面７２１は、図６の監視エリア２００全体を表示する画面で、例えばセンサ１１が侵入者を検出した場合に、検出箇所を表示したりすることができる他、図６で示したエリア６２３とエリア６２６とを表示する。
【００１１】
図５において、センサ１１は監視エリア２００内に複数設置され、侵入者を検出するセンサで、例えば赤外線センサ、若しくはパッシブセンサである。センサ１１は設置された場所でセンサ検知エリア内に侵入した物体を検出すると制御部５２にそのセンサＩＤと検出時刻を検出情報として出力する。制御部５２は、入力された検出情報から侵入者がどの地点で検出されたかを認識し、予め定められた移動速度を元に移動予測範囲を決定し、検出されたポイント６１と３０［ｓ］以内検出された物体が移動するエリア６２３及び６０［ｓ］以内に検出された物体が移動するエリア６２６とを表示画面７００の画面７２１内に表示するための表示データを表示部１３に出力する。表示部１３は入力された表示データに従って表示画面７００を表示する。
なお、センサ１１の検出情報は、それぞれのセンサ毎に、センサを特定するセンサＩＤと検出ポイントの位置情報とが、予め、制御部５２内の図示しない記憶部若しくは制御部５２がアクセス可能な外部記憶装置に登録されている。
【００１２】
図６は、図５の監視装置で監視した場合の監視エリア２００内で、例えば、設置されたセンサ１１が侵入物を検出することによって、ポイント６１が検出点とされ、予め定められた移動速度によって、３０［ｓ］以内に検出された物体が移動する移動予測範囲６２３をクロス斜線で示し、６０［ｓ］以内に検出された物体が移動する移動予測範囲６２６が斜線で示している。
仮に、侵入者が５［ｋｍ／ｈ］で移動していると仮定すると、３０［ｓ］で半径約４０［ｍ］の移動予測範囲、６０［ｓ］では半径約８０［ｍ］の移動予測範囲を表示する。
図７は、制御部５２がセンサ１１からの検出情報によって、表示データを作成し、表示部１３が表示した表示画面である。
なお、図７では、色等の表示ができないが、移動予測範囲であるエリア６２３や６２６は、例えば、半透明で区別できる色で表示し、他の表示（例えば、建造物２４１〜２４３、監視領域２２１〜２２４、等）が判別できるようにしている。
また図７における表示画面７００上の表示においては、地図の尺度を正確に設定し、侵入者検知後、侵入者の移動予測範囲を明確に表示する。
【００１３】
なお、移動予測範囲は、上記実施例では、３０［ｓ］以内と６０［ｓ］以内としているが、検出したい対象物体や監視エリアに応じて変更することは当然である。また２つの時間ではなく、１つでも良く、３つ以上でも良い。
また、制御部５２は、上記実施例では、予め定められた移動速度（例えば、時速５［ｋｍ／ｈ］）が登録されている。この、侵入者の移動速度は任意に設定可能でる。
しかし、例えば、最初に検出されたセンサに基く位置と次に検出されたセンサに基く位置、等の複数の位置情報を記録し、移動速度を算出して、算出した移動速度に基づいて、次の所定の時間に検出された物体が移動する移動予測範囲を決定しても良い。
【００１４】
次に、上記実施例では、カメラ３１が撮像する画像が無い状態での実施例について説明した。しかし、例えば、センサ１１としてカメラを使用し、カメラが侵入物を検出する場合には、更なる応用ができる。例えば、カメラが検出した画像の画像処理によって、侵入物体の大きさを識別し、検出した侵入物体の大きさに基づいて、移動予測を行う速度を決定し、大きさに応じて移動予測範囲を変更しても良い。この場合には、検出物体を、例えば人物と車両で区別することが考えられる。
【００１５】
また、撮像した複数の映像を用い、画像処理によって侵入物の移動速度を算出し、算出した移動速度によって、移動予測範囲を算出しても良い。
また更に、監視エリアを重要エリアと比較的重要で無いエリアとに分け、重要エリアで検出された場合には、表示の時間単位を３０［ｓ］、６０［ｓ］から、もっと短い時間単位に切替えても良い。
【００１６】
また、物体の検出によって、移動予測範囲が決定され表示された場合には、制御部５２は、更に、図７における表示部１３の表示画面７００において、そのプリセット設定用の操作パネル４４０上に、３０［ｓ］後の移動予測範囲を撮像可能なカメラ５１のプリセットボタンを作成及び表示するようにしても良い。
例えば、監視領域２２１〜２２４とエリア６２３が交差する位置を撮像可能なプリセットボタン、若しくは、監視領域２２１〜２２４とエリア６２６が交差する位置を撮像可能なプリセットボタン等である。
【００１７】
なお、物体の進行方向が分かっていれば若しくは判明した時には、図８に示すように、移動予測範囲のエリアの範囲を狭めるようにしても良い。例えば、図８(a) は、物体を検出したポイント６１を中心とした円の進行方向に対して±π／２［ｒａｄ］の角度範囲を移動予測範囲６２３−１としたものであり、図８(b) は、物体を検出したポイント６１を中心とした円の進行方向に対して±２π／３［ｒａｄ］の角度範囲（円の後方の±π／３［ｒａｄ］の角度範囲を除いた範囲）を移動予測範囲６２３−２としたものである。
また図８(c) は、物体を検出したポイント６１を中心とした円の進行方向に対して±π／３［ｒａｄ］の角度範囲を移動予測範囲６２３−３としたものであり、図８(d) は、進行方向の右側に、侵入物が物理的に進行できない障害物（例えば壁）８５がある場合にその障害物８５側を移動予測範囲から除いた移動予測範囲６２３−４としたものである。
なお、図８では、３０［ｓ］以内の移動予測範囲の実施例を説明したが、他の条件の移動予測範囲でも同様である。また、図８(d) の障害物８５のエリアを移動予測範囲から除く実施例は、検出した侵入物の進行方向に限らず、移動予測範囲から除いても良い。
【００１８】
上記実施例によれば、侵入者検知時の警備範囲が限定できるため、現場警備員への警備支援が向上される。
【図面の簡単な説明】
【００１９】
【図１】従来の監視装置の構成を示すブロック図。
【図２】従来の監視装置の監視エリアについて説明するための図。
【図３】従来の監視装置の構成を示すブロック図。
【図４】従来の監視装置の表示画面について説明するための図。
【図５】本発明の監視装置の一実施例の構成を示すブロック図。
【図６】本発明の監視装置の監視エリアの一実施例について説明するための図。
【図７】本発明の監視装置の表示画面の一実施例について説明するための図。
【図８】本発明の監視装置の監視エリアの一実施例について説明するための図。
【符号の説明】
【００２０】
１１：センサ、  １２：制御部、  １３：表示部、  ３１：カメラ、  ３２：制御部、  ５２：制御部、  ６１：ポイント、  ２００：監視エリア、  ２５１、２５２：海水域、  ２１１：陸地、  ２４１、２４２、２４３：建造物、  ２２１、２２２、２２３、２２４：監視領域、  ４００：表示画面、  ４１０：表示部、  ４２１：画面、  ４２０、４３０、４４０：操作パネル、  ６２３、６２６：エリア、  ７００：表示画面、  ７２１：画面。
【図１】
2009272935.tif 000003
【図２】
2009272935.tif 000004
【図３】
2009272935.tif 000005
【図４】
2009272935.tif 000006
【図５】
2009272935.tif 000007
【図６】
2009272935.tif 000008
【図７】
2009272935.tif 000009
【図８】
2009272935.tif 000010